(57)【要約】  着脱式フェーダコンポーネントをオーディオコンポーネントと一体化しつつ、そのフェーダコンポーネントを１つ以上の外部オーディオコンポーネントに接続したり、装置から取り外したときにスタンドアロンフェーダとして機能させたりすることもできる装置が提供される。各種実施形態は、第１のオーディオ信号を生成するように構成されたオーディオコンポーネントと、オーディオコンポーネントに接続するための第１の接続点および第２のオーディオ信号を生成する外部オーディオコンポーネントに接続するための第２の接続点を有して構成された着脱式フェーダコンポーネントであって、第１のオーディオ信号と第２のオーディオ信号とのミキシングを行うためのハードウェアコンポーネント、ソフトウェアコンポーネント、およびそれらの組み合わせが内部に格納されている着脱式フェーダコンポーネントと、装置内に組み込まれた受容部であって、着脱式フェーダコンポーネントを装置に保持するように構成されている受容部と、を備える。
2018530286.tif 000002
【特許請求の範囲】
【請求項１】
装置であって、
第１のオーディオ信号を生成するように構成されたオーディオコンポーネントと、
前記オーディオコンポーネントに接続するための第１の接続点と、第２のオーディオ信号を生成する外部オーディオコンポーネントに接続するための第２の接続点と、を有して構成された着脱式フェーダコンポーネントであって、前記第１のオーディオ信号と前記第２のオーディオ信号とのミキシングを行うためのハードウェアコンポーネント、ソフトウェアコンポーネント、またはそれらの組み合わせが、前記着脱式フェーダコンポーネント内に格納されている着脱式フェーダコンポーネントと、
前記装置内に組み込まれた受容部であって、前記着脱式フェーダコンポーネントを前記装置に保持するように構成されている受容部と、
を備える装置。
【請求項２】
前記着脱式フェーダコンポーネントが、前記第１の接続点および前記第２の接続点へのアクセスを提供するフェーダハウジング内に囲まれており、前記着脱式フェーダコンポーネントが、前記装置から取り外されるとスタンドアロンフェーダとして動作可能である、請求項１記載の装置。
【請求項３】
前記受容部が、前記オーディオコンポーネントの外縁、前記オーディオコンポーネントの凹部内、またはそれらの組み合わせに、前記フェーダハウジングの上面が前記オーディオコンポーネントの上面とほぼ面一となるように位置する、請求項２に記載の装置。
【請求項４】
前記凹部の形状が前記フェーダハウジングの形状に適合する、請求項３記載の装置。
【請求項５】
前記着脱式フェーダコンポーネント、および／または前記着脱式フェーダコンポーネントのノブが、前記ノブおよび前記第１のオーディオ信号と前記第２のオーディオ信号との間での関連付けられた音源優先度が前記フェーダハウジングに対して所在する位置を示す１つ以上の特徴を含む、請求項２〜４のいずれか一項に記載の装置。
【請求項６】
前記着脱式フェーダコンポーネントが、前記関連付けられた音源優先度を変更するためのボタンまたはスイッチを備える、請求項５に記載の装置。
【請求項７】
１つより多くの受容部が前記装置内に組み込まれている、請求項１〜６のいずれか一項に記載の装置。
【請求項８】
前記受容部の位置が、前記着脱式フェーダコンポーネントおよび前記着脱式フェーダコンポーネントのノブを前記オーディオコンポーネントの１つ以上のオーディオコントロールと垂直に揃える、請求項１〜７のいずれか１項に記載の装置。
【請求項９】
前記受容部が、前記オーディオコンポーネントを基準とする１つより多くの箇所で前記着脱式フェーダコンポーネントを保持できるように前記オーディオコンポーネントを基準として移動可能である、請求項１〜８のいずれか一項に記載の装置。
【請求項１０】
前記１つより多くの箇所の各々が、前記着脱式フェーダコンポーネントと、前記着脱式フェーダコンポーネントのノブとを、前記オーディオコンポーネントの１つ以上のオーディオコントロールと揃える、請求項９に記載の装置。
【請求項１１】
前記第１の接続点と前記第２の接続点が、アナログ接続、デジタル接続、またはそれらの組み合わせを備える、請求項１〜１０のいずれか一項に記載の装置。
【請求項１２】
前記オーディオコンポーネントが、前記アナログ接続、前記デジタル接続、またはそれらの組み合わせによって前記オーディオコンポーネントを前記外部オーディオコンポーネントに接続するための別個のハードウェアコンポーネント、ソフトウェアコンポーネント、またはそれらの組み合わせを備える、請求項１１に記載の装置。
【請求項１３】
前記アナログ接続、前記デジタル接続、または前記それらの組み合わせが独自設計である、請求項１１または１２に記載の装置。
【請求項１４】
前記デジタル接続がユニバーサルシリアルバス（ＵＳＢ）接続である、請求項１１〜１３のいずれか一項に記載の装置。
【請求項１５】
前記着脱式フェーダコンポーネントと前記外部オーディオコンポーネントとの間の前記デジタル接続が短距離無線接続である、請求項１１〜１４のいずれか一項に記載の装置。
【請求項１６】
前記着脱式フェーダコンポーネントが前記短距離無線接続によって外部オーディオコンポーネントに接続され、前記外部オーディオコンポーネントが、スマートフォン、ラップトップコンピュータ、タブレットコンピュータ、ワイヤレススピーカ、または前記短距離無線接続を介して１つ以上のデジタルファイルを送信できる任意のデバイスを備える、請求項１５に記載の装置。
【請求項１７】
前記ハードウェアコンポーネント、前記ソフトウェアコンポーネント、またはそれらの組み合わせにより、前記第１の接続点、前記第２の接続点、またはそれらの組み合わせをユーザがカスタマイズして、前記着脱式フェーダコンポーネントを前記オーディオコンポーネント、前記外部オーディオコンポーネント、またはそれらの組み合わせを容易に接続できるようになっている、請求項１〜１６のいずれか一項に記載の装置。
【請求項１８】
前記ハードウェアコンポーネント、ソフトウェアコンポーネント、またはそれらの組み合わせにより、前記着脱式フェーダコンポーネントの１つ以上の性能特性をユーザがカスタマイズできるようになっている、請求項１〜１７のいずれか一項に記載の装置。
【請求項１９】
前記着脱式フェーダが前記受容部によって保持されているとき、または前記装置から取り外されているときに前記ユーザカスタマイズが可能である、請求項１７または１８に記載のいずれか一項に記載の装置。
【請求項２０】
前記オーディオコンポーネント、前記外部オーディオコンポーネント、またはそれらの組み合わせが、レコードプレーヤ、デジタルディスクジョッキー（ＤＤＪ）デバイス、コンパクトディスクプレーヤ、デジタルメディアプレーヤ、スマートフォン、タブレットコンピュータ、ラップトップコンピュータ、ドラムマシン、キーボード、レコーディングソフトウェア、タッチスクリーン、またはワイヤレススピーカを含む、請求項１〜１９のいずれか一項に記載の装置。
【請求項２１】
前記オーディオコンポーネントが前記レコードプレーヤであり、前記レコードプレーヤのヘッドシェルが、１つ以上の重りが装着されるように構成されている、請求項２０に記載の装置。
【請求項２２】
前記１つ以上の重りが、相互接続された後に前記ヘッドシェルに装着されるように構成されている、請求項２１に記載の装置。
【発明の詳細な説明】
【技術分野】
【０００１】
（関連出願の相互参照）
本出願は、２０１５年１０月２日に出願された「ＡＮ  ＩＮＴＥＧＲＡＴＥＤ  ＲＥＭＯＶＡＢＬＥ  ＦＡＤＥＲ」と題する米国仮特許出願第６２／２３６，４９８号の便益を主張するものであり、同開示は、参照により本明細書に援用される。
【０００２】
本開示は、一体化された着脱式フェーダコンポーネントを備えるディスクジョッキー（ＤＪ）装置に関する。
【背景技術】
【０００３】
ミュージシャンとＤＪは、１つ以上の音源（例えば、レコードプレーヤ、デジタルディスクジョッキー（ＤＤＪ）デバイス、コンパクトディスクプレーヤ、デジタルメディアプレーヤ、スマートフォン、タブレットコンピュータ、ラップトップコンピュータ、ドラムマシン、キーボードなど）からのオーディオ信号を結合または操作することが多い。オーディオ信号の結合または操作における重要な側面は、１つ以上の音源のレベルまたはボリュームを制御できることである。従来は、ボリューム制御デバイスまたはフェーダを音源または入力装置（例えばレコードプレーヤ）に接続して、ユーザが音源のレベルをフェードインまたは増大させたり、音源のレベルをフェードアウトまたは低減させたりしてきた。クロスフェーダであれば、２つの音源を同時に制御することができる。たとえば、ユーザは、ある音源をフェードインまたはフェードアウトさせながら別の音源をフェードインまたはフェードアウトさせられるため、２つの音源から独自のミックスまたはコンビネーションを作成することができる。また、１つ以上の音源（例えばレコードプレーヤ）から「スクラッチ」することによってオーディオ信号を操作することもできる。スクラッチまたはスクラブは、ユーザ（例えばＤＪ）が、音源（例えばレコードプレーヤ）の再生を手で操作しながら、その音源に接続されたフェーダを任意選択的に操作する公知の処理である。
【０００４】
アーティストなどのミュージシャンは、自らの楽器やデバイスの機能、柔軟性、品質全般についてこだわりを持っていることが多い。ミュージシャンは会場やスタジオなどを行き来することが多いため、サイズ、重量、他の各種コンポーネントとのシームレスな一体化といった点から、自らの機器の携帯性が重要である。従来のフェーダは、高価でかさばることが多く、レコーディングスタジオ内で使用されるのが最も一般的である。携帯型フェーダは、他のオーディオコンポーネントと物理的に一体化できないことが多いため、補助的なコンポーネントにとどまることが大半である。加えて、携帯型フェーダは、個人の嗜好やカスタマイズのサポートという点で柔軟性に欠けることが多い。さらに、従来の音源（例えば標準的なレコードプレーヤ）は、音源が、１つ以上の関連オーディオコンポーネント（例えば、着脱式フェーダ、ドラムマシン、キーボード、レコーディングソフトウェア、タッチスクリーン等）と容易に接続および／または一体化できるようにするために必要なハードウェア／ソフトウェアコンポーネントを欠いていることも多い。
【０００５】
そのため、着脱式フェーダコンポーネントをオーディオコンポーネントと物理的に一体化することを可能にしながら、フェーダコンポーネントを１つ以上の外部オーディオコンポーネントと接続したり、装置から取り外したときにスタンドアロンフェーダとして機能させたりすることもできる装置に対するニーズが存在する。
【発明の概要】
【発明が解決しようとする課題】
【０００６】
本開示の一態様は、オーディオコンポーネントと、着脱式フェーダコンポーネントと、着脱式フェーダコンポーネントをオーディオコンポーネントと一体化しつつ、フェーダコンポーネントが１つ以上の外部オーディオコンポーネントと接続できるように、および／または装置から取り外されたときにスタンドアロンフェーダとして機能できるように構成された受容部と、を備える装置である。
【０００７】
以降の説明には、以下を検討すれば当業者にとって部分的に明らかとなるか、または本開示の実施から学習され得る本開示のさらなる態様および他の特徴が記載される。本開示の利点は、添付の請求項において特に指摘されるように実現および取得され得る。
【課題を解決するための手段】
【０００８】
本開示によると、第１のオーディオ信号を生成するように構成されたオーディオコンポーネントと、オーディオコンポーネントに接続するための第１の接続点および第２のオーディオ信号を生成する外部オーディオコンポーネントに接続するための第２の接続点を有して構成された着脱式フェーダコンポーネントであって、第１のオーディオ信号と第２のオーディオ信号とのミキシングを行うためのハードウェアコンポーネント、ソフトウェアコンポーネント、およびそれらの組み合わせが内部に格納されている着脱式フェーダコンポーネントと、装置内に組み込まれた受容部であって、着脱式フェーダコンポーネントを装置に保持するように構成されている受容部と、を備える装置により、いくつかの技術的効果が部分的に実現され得る。
【０００９】
本開示の態様は、第１の接続点および第２の接続点へのアクセスを提供するフェーダハウジング内に囲まれており、かつ装置から取り外されるとスタンドアロンフェーダとして動作可能である着脱式フェーダコンポーネントを含む。さらなる態様は、受容部が、オーディオコンポーネントの外縁、オーディオコンポーネントの凹部内、またはそれらの組み合わせに、フェーダハウジングの上面がオーディオコンポーネントの上面とほぼ面一となるように位置することを含む。別の態様は、凹部の形状がフェーダハウジングの形状に適合することを含む。他の態様は、着脱式フェーダコンポーネント、および／または着脱式フェーダコンポーネントのノブが、ノブおよび第１のオーディオ信号と第２のオーディオ信号との間での関連付けられた音源優先度がフェーダハウジングに対して所在する位置を示す１つ以上の特徴を含む。さらなる態様は、着脱式フェーダコンポーネントが、関連付けられた音源優先度を変更するためのボタンまたはスイッチを備えることを含む。別の態様は、１つより多くの受容部が装置内に組み込まれることを含む。
【００１０】
他の態様は、受容部の位置が、着脱式フェーダコンポーネントおよび着脱式フェーダコンポーネントのノブをオーディオコンポーネントの１つ以上のオーディオコントロールと垂直に揃えることを含む。さらなる態様は、受容部がオーディオコンポーネントを基準として移動可能であり、着脱式フェーダコンポーネントをオーディオコンポーネントを基準として１つより多くの箇所で保持できることを含む。さらなる態様は、この１つより多くの箇所の各々が、着脱式フェーダコンポーネントおよび着脱式フェーダコンポーネントのノブをオーディオコンポーネントの１つ以上のオーディオコントロールと垂直に揃えることを含む。別の態様は、第１の接続点および第２の接続点がアナログ接続、デジタル接続、またはそれらの組み合わせを備えることを含む。他の態様は、オーディオコンポーネントが、アナログ接続、デジタル接続、またはそれらの組み合わせによってオーディオコンポーネントを外部オーディオコンポーネントに接続するための別個のハードウェアコンポーネント、ソフトウェアコンポーネント、またはそれらの組み合わせを備えることを含む。さらなる態様は、アナログ接続、デジタル接続、またはそれらの組み合わせが独自の設計であることを含む。さらなる態様は、デジタル接続がユニバーサルシリアルバス（ＵＳＢ）接続であることを含む。別の態様は、着脱式フェーダコンポーネントと外部オーディオコンポーネントとの間のデジタル接続が短距離無線接続であることを含む。その他の態様は、取り外しフェーダコンポーネントが短距離無線接続によって外部オーディオコンポーネントに接続され、外部オーディオコンポーネントが、スマートフォン、ラップトップコンピュータ、タブレットコンピュータ、ワイヤレススピーカ、または短距離無線接続を介して１つ以上のデジタルファイルを送信できる任意のデバイスを備えることを含む。さらなる態様は、ハードウェアコンポーネント、ソフトウェアコンポーネント、またはそれらの組み合わせにより、第１の接続点、第２の接続点、またはそれらの組み合わせをユーザがカスタマイズして、着脱式フェーダコンポーネントをオーディオコンポーネント、外部オーディオコンポーネント、またはそれらの組み合わせに容易に接続できるようになっていることを含む。さらなる態様は、ハードウェアコンポーネント、ソフトウェアコンポーネント、またはそれらの組み合わせにより、着脱式フェーダコンポーネントの１つ以上の性能特性をユーザがカスタマイズできるようになっていることを含む。別の態様は、着脱式フェーダが受容部によって保持されているとき、または装置から取り外されているときにこのユーザカスタマイズが可能であることを含む。他の態様は、オーディオコンポーネント、外部オーディオコンポーネント、またはそれらの組み合わせ、レコードプレーヤ、デジタルディスクジョッキー（ＤＤＪ）デバイス、コンパクトディスクプレーヤ、デジタルメディアプレーヤ、スマートフォン、タブレットコンピュータ、ラップトップコンピュータ、ドラムマシン、キーボード、レコーディングソフトウェア、タッチスクリーン、またはワイヤレススピーカを含むことを含む。さらなる態様は、オーディオコンポーネントがレコードプレーヤであり、レコードプレーヤのヘッドシェルが、ヘッドシェルに１つ以上の重りが装着されるように構成されていることを含む。さらなる態様は、１つ以上の重りが、ヘッドシェルに接続される前に相互接続されるように構成されていることを含む。
【００１１】
種々の例示的実施形態が例として非限定的に図示されており、添付の図面においては、同じ参照番号が同じ要素を表す。
【図面の簡単な説明】
【００１２】
【図１Ａ】一実施形態にかかる、凹型受容部と、１つ以上のアナログ接続、１つ以上のデジタル接続、またはそれらの組み合わせと、を介してオーディオコンポーネントと一体化された着脱式フェーダコンポーネントを概略的に示す。
【図１Ｂ】一実施形態にかかる、凹型受容部と、１つ以上のアナログ接続、１つ以上のデジタル接続、またはそれらの組み合わせと、を介してオーディオコンポーネントと一体化された着脱式フェーダコンポーネントを概略的に示す。
【図１Ｃ】一実施形態にかかる、凹型受容部と、１つ以上のアナログ接続、１つ以上のデジタル接続、またはそれらの組み合わせと、を介してオーディオコンポーネントと一体化された着脱式フェーダコンポーネントを概略的に示す。
【図２Ａ】一実施形態にかかる、凹型受容部と、１つ以上のアナログ接続、１つ以上のデジタル接続、またはそれらの組み合わせと、を介してオーディオコンポーネントと一体化された着脱式フェーダコンポーネントを概略的に示す。
【図２Ｂ】一実施形態にかかる、凹型受容部と、１つ以上のアナログ接続、１つ以上のデジタル接続、またはそれらの組み合わせと、を介してオーディオコンポーネントと一体化された着脱式フェーダコンポーネントを概略的に示す。
【図２Ｃ】一実施形態にかかる、凹型受容部と、１つ以上のアナログ接続、１つ以上のデジタル接続、またはそれらの組み合わせと、を介してオーディオコンポーネントと一体化された着脱式フェーダコンポーネントを概略的に示す。
【図２Ｄ】一実施形態にかかる、凹型受容部と、１つ以上のアナログ接続、１つ以上のデジタル接続、またはそれらの組み合わせと、を介してオーディオコンポーネントと一体化された着脱式フェーダコンポーネントを概略的に示す。
【図３Ａ】一実施形態にかかる、オーディオコンポーネントの外縁に位置する受容部と、１つ以上のアナログ接続、１つ以上のデジタル接続、またはそれらの組み合わせと、を介してオーディオコンポーネントと一体化された着脱式フェーダコンポーネントを概略的に示す。
【図３Ｂ】一実施形態にかかる、オーディオコンポーネントの外縁に位置する受容部と、１つ以上のアナログ接続、１つ以上のデジタル接続、またはそれらの組み合わせと、を介してオーディオコンポーネントと一体化された着脱式フェーダコンポーネントを概略的に示す。
【図３Ｃ】一実施形態にかかる、オーディオコンポーネントの外縁に位置する受容部と、１つ以上のアナログ接続、１つ以上のデジタル接続、またはそれらの組み合わせと、を介してオーディオコンポーネントと一体化された着脱式フェーダコンポーネントを概略的に示す。
【図３Ｄ】一実施形態にかかる、オーディオコンポーネントの外縁に位置する受容部と、１つ以上のアナログ接続、１つ以上のデジタル接続、またはそれらの組み合わせと、を介してオーディオコンポーネントと一体化された着脱式フェーダコンポーネントを概略的に示す。
【図４Ａ】一実施形態にかかる、着脱式フェーダコンポーネントの種々のアナログおよび／またはデジタル構成を概略的に示す。
【図４Ｂ】一実施形態にかかる、着脱式フェーダコンポーネントの種々のアナログおよび／またはデジタル構成を概略的に示す。
【図４Ｃ】一実施形態にかかる、着脱式フェーダコンポーネントの種々のアナログおよび／またはデジタル構成を概略的に示す。
【図４Ｄ】一実施形態にかかる、着脱式フェーダコンポーネントの種々のアナログおよび／またはデジタル構成を概略的に示す。
【図４Ｅ】一実施形態にかかる、着脱式フェーダコンポーネントの種々のアナログおよび／またはデジタル構成を概略的に示す。
【図４Ｆ】一実施形態にかかる、着脱式フェーダコンポーネントの種々のアナログおよび／またはデジタル構成を概略的に示す。
【図４Ｇ】一実施形態にかかる、着脱式フェーダコンポーネントの種々のアナログおよび／またはデジタル構成を概略的に示す。
【図５Ａ】一実施形態にかかる、１つ以上のアナログ接続、および１つ以上のデジタル接続、またはそれらの組み合わせを介してオーディオコンポーネントの１つ以上の凹型受容部と同時に一体化された着脱式フェーダコンポーネントおよび種々のオーディオコンポーネントを概略的に示す。
【図５Ｂ】一実施形態にかかる、１つ以上のアナログ接続、および１つ以上のデジタル接続、またはそれらの組み合わせを介してオーディオコンポーネントの１つ以上の凹型受容部と同時に一体化された着脱式フェーダコンポーネントおよび種々のオーディオコンポーネントを概略的に示す。
【図５Ｃ】一実施形態にかかる、１つ以上のアナログ接続、および１つ以上のデジタル接続、またはそれらの組み合わせを介してオーディオコンポーネントの１つ以上の凹型受容部と同時に一体化された着脱式フェーダコンポーネントおよび種々のオーディオコンポーネントを概略的に示す。
【図５Ｄ】一実施形態にかかる、１つ以上のアナログ接続、および１つ以上のデジタル接続、またはそれらの組み合わせを介してオーディオコンポーネントの１つ以上の凹型受容部と同時に一体化された着脱式フェーダコンポーネントおよび種々のオーディオコンポーネントを概略的に示す。
【図５Ｅ】一実施形態にかかる、１つ以上のアナログ接続、および１つ以上のデジタル接続、またはそれらの組み合わせを介してオーディオコンポーネントの１つ以上の凹型受容部と同時に一体化された着脱式フェーダコンポーネントおよび種々のオーディオコンポーネントを概略的に示す。
【図６Ａ】一実施形態にかかる、レコードプレーヤのトーンアームヘッドシェルユニットと調節可能な重りとを概略的に示す。
【図６Ｂ】一実施形態にかかる、レコードプレーヤのトーンアームヘッドシェルユニットと調節可能な重りとを概略的に示す。
【図６Ｃ】一実施形態にかかる、レコードプレーヤのトーンアームヘッドシェルユニットと調節可能な重りとを概略的に示す。
【図７】本発明の実施形態を具現化する目的で使用できるハードウェアの図である。
【図８】本発明の実施形態を具現化する目的で使用できるチップセットの図である。
【発明を実施するための形態】
【００１３】
以降の説明には、例示的実施形態に対する理解を徹底するために、説明目的で多数の具体的な詳細が記載されている。ただし、これらの具体的詳細がなくても、または同等の構成を用いて例示的実施形態が実施され得ることは明らかであろう。他の事例においては、例示的実施形態を無用に曖昧にすることを避けるために、公知の構造およびデバイスがブロック図形式で示されている。加えて、明細書および請求項で使用される内容物や反応条件等の量、割合、および数的性質を表す数字はすべて、別段の明示がない限り、すべての事例において「約」という語によって修飾されるものと理解すべきである。
【００１４】
本開示は、従来のフェーダが高価でかさばることが多く、レコーディングスタジオでの使用に限定されることが多く、携帯型フェーダが、他のオーディオコンポーネントとシームレスに一体化できず、かつ／または個人の嗜好をサポートする柔軟性に欠けることが多く、１つ以上の音源の再生の操作またはミキシングに伴う１つ以上の関連コンポーネントと音源が簡単に接続および／または一体化できるようにするのに必要なハードウェア／ソフトウェアコンポーネントが従来の音源に備わっていないことが多い、という現在の問題に対処し、それらを解決する。
【００１５】
本開示の実施形態にかかる装置は、第１のオーディオ信号を生成するように構成されたオーディオコンポーネントを備える。着脱式フェーダコンポーネントは、オーディオコンポーネントに接続するための第１の接続点と、第２のオーディオ信号を生成する外部オーディオコンポーネントに接続するための第２の接続点と、を備え、第１のオーディオ信号と第２のオーディオ信号とのミキシングを行うためのハードウェアコンポーネント、ソフトウェアコンポーネント、またはそれらの組み合わせが着脱式フェーダコンポーネント内に格納されている。受容部が装置内に組み込まれており、この受容部は、着脱式フェーダコンポーネントを装置に保持するように構成されている。
【００１６】
図１Ａ〜図１Ｃ（公理図）は、一実施形態にかかる、凹型受容部と、１つ以上のアナログ接続、１つ以上のデジタル接続、またはそれらの組み合わせと、を介してオーディオコンポーネントと一体化された着脱式フェーダコンポーネントを概略的に示す。一実施形態においては、オーディオコンポーネント１０１（例えば、レコードプレーヤ、ＤＤＪ、コンパクトディスクプレーヤ、デジタルメディアプレーヤ等）が、オーディオ信号（例えば音楽）を生成するように構成されている。例えば、ターンテーブル１０３上に置かれたビニール製レコード（例示上の都合により非図示）と、針（例示上の都合により非図示）を備えるトーンアーム１０５と、スピーカ１０７との間での相互作用の結果としてオーディオ信号が生成され得る。一実施形態においては、着脱式フェーダコンポーネント１０９（例えば、接触フェーダ、デジタルフェーダまたは非接触クロスフェーダ）がフェーダハウジング１１１内に囲まれている。一実施形態において、フェーダ１０９は、図１Ｂ（フェーダ１０９の短辺の公理図）に示すとおり、オーディオコンポーネント１０１（例えばレコードプレーヤ）に接続するための第１の接続点（例えば、オーディオ入力または第１のチャネル１１３）と、第２のオーディオ信号（例えば音楽）を生成する外部オーディオコンポーネント（例えば、レコードプレーヤ、ＤＤＪデバイス、コンパクトディスクプレーヤ、デジタルメディアプレーヤ、スマートフォン、タブレットコンピュータ、ラップトップコンピュータ、ドラムマシン、キーボード、レコーディングソフトウェア、タッチスクリーン等）に接続するための第２の接続点（例えば、補助ポートまたは第２のチャネル１１５）（例示上の都合により非図示）と、を有して構成されている。フェーダ１０９は、例えば、ワイヤレススピーカに接続するためのオーディオ出力１１７も有して構成され得る。フェーダ１０９に関わる１つ以上のオーディオ入力１１３、１つ以上の補助ポート１１５、または１つ以上のオーディオ出力１１７の位置は、単なる例示を目的としたものに過ぎず、大概はオーディオコンポーネント１０１との一体化のしかたによって決定される。この事例においては、オーディオ入力１１３、補助ポート１１５、およびオーディオ出力１１７が、フェーダ１０９の短辺側に（例えば、ユーザに面して）位置する。一実施形態においては、フェーダハウジング１１１が、第１の接続点および第２の接続点へのアクセスを提供する。一実施形態において、フェーダ１０９は、オーディオコンポーネント１０１から取り外されると、および／または外部オーディオコンポーネント（例えばスマートフォン）と接続して使用されると、スタンドアロンフェーダとして動作可能である。一実施形態において、フェーダ１０９は、充電式電池（例えばリチウムイオン電池）（例示上の都合により非図示）を備える。
【００１７】
一実施形態において、オーディオコンポーネント１０１（例えばレコードプレーヤ）は、フェーダ１０９を保持するように構成された受容部１１９を備える。一実施形態において、受容部１１９は、図３Ａに示すオーディオコンポーネントの外縁上、図１Ｃに示すオーディオコンポーネント１０１（例えばレコードプレーヤ）の凹部内、またはそれらの組み合わせに位置し、図１Ｃ、図２Ｂ、図３Ｃ、および図３Ｄに示すとおり、フェーダハウジング１１１の上面がオーディオコンポーネント１０１（例えばレコードプレーヤ）の上面とほぼ面一になっている。一実施形態において、受容部１１９の形状は、図１Ｃ、図２Ｂ、および図３Ｃに示すとおり、フェーダハウジング１１１の形状に適合する。一実施形態において、オーディオコンポーネント１０１は、１つより多くの受容部（例えば、受容部１１９、１２１、１２３、１２５）を備えており、かつ／または受容部が、図１Ａに示すとおり、オーディオコンポーネント１０１を基準として移動して、フェーダ１０９を、オーディオコンポーネント１０１における１つより多くの箇所（例えば受容部１１９および１２１）で保持できるようにし得る。
【００１８】
一実施形態においては、受容部１１９の箇所または１つより多くの受容部（例えば受容部１１９、１２１、１２３、１２５）の各々の箇所が、図１Ｃおよび図２Ｂに示すとおり、フェーダ１０９とノブ１２７のフェーダ１０９とがオーディオコンポーネント１０１の１つ以上のオーディオコントロール（例えばレベル／ボリューム制御フェーダ１２９、速度選択スイッチまたはトグル１３１、ピッチ制御ノブ１３３、トーンコントロール１３５）と垂直に揃って一体型ＤＪミキシング領域を生み出すようになっている。一実施形態において、オーディオコンポーネント１０１のレベル／ボリューム制御フェーダ１２９は、例えば、フェーダ１０９とオーディオコンポーネント１０１の１つ以上のオーディオコントロールとがすべて垂直に配置されるようにコンパートメント１２３に移動され得る。
【００１９】
図２Ａ〜図２Ｄ（公理図）は、一実施形態にかかる、凹型受容部、１つ以上のアナログ接続、１つ以上のデジタル接続、またはそれらの組み合わせを介してオーディオコンポーネントと一体化された着脱式フェーダコンポーネントを概略的に示しているという点で図１Ａ〜図１Ｃと同様だが、この事例におけるフェーダ１０９が、図１Ｃに示すとおり、受容部１１９または１２１ではなく受容部１２５を介してオーディオコンポーネント１０１と一体化されているという点を除く。一実施形態においては、フェーダ１０９が受容部１２５を介してオーディオコンポーネント１０１と一体化されており、受容部１１９は、図２Ａに示すとおり、受容部２０１と置き換えられ得る。一実施形態においては、フェーダ１０９の第１の接続点および第２の接続点が、アナログ接続、デジタル接続、またはそれらの組み合わせを含む。一実施形態においては、図２Ｃに示すとおり、１つ以上のプラグ２０３（例えば、銅製または金製）をオーディオ入力１１３、補助ポート１１５、またはそれらの組み合わせに接続することにより、アナログ接続を完了することができる（フェーダ１０９の背面にある１つ以上のオーディオ入力１１３、補助ポート１１５、またはそれらの組み合わせは、例示上の都合により非図示）。一実施形態においては、１つ以上のプラグ２０３が、オーディオコンポーネント１０１（例えばレコードプレーヤ）に対してネイティブであり、これらは、フェーダ１０９の製造者によって提供され、フェーダ１０９とオーディオコンポーネント１０１とを物理的に一体化できるようにする。一実施形態においては、フェーダ１０９、オーディオコンポーネント１０１（例えばレコードプレーヤ）、および／または１つ以上の外部オーディオコンポーネント（例えばスマートフォンおよび／またはワイヤレススピーカ）間のアナログ接続が、１つ以上のオーディオケーブル（例示上の都合により非図示）を介して達成される。一実施形態においては、デジタル接続が、フェーダ１０９とオーディオコンポーネント１０１（例えばレコードプレーヤ）との間での１つ以上の短距離無線通信によって達成され得ることから、１つ以上のプラグ２０３は、フェーダ１０９とオーディオコンポーネント１０１（例えばレコードプレーヤ）との間での物理的な一体化のための手段を提供するだけであり得る。一実施形態においては、図２Ｄに示すとおり、オーディオコンポーネント１０１のＵＳＢポート２０５とフェーダ１０９のＵＳＢコネクタ２０７とを接続することによってデジタル接続が完了し得る。一実施形態においては、オーディオコンポーネント１０１（例えばレコードプレーヤ）がＵＳＢコネクタ２０７を備え、フェーダ１０９がＵＳＢポート２０５を備え得る。一実施形態においては、フェーダ１０９がＵＳＢポート（例示上の都合により非図示）と充電可能電池とを備え、ＵＳＢポートは、充電池を充電する目的でも使用され得る。一実施形態においては、オーディオコンポーネント１０１（例えばレコードプレーヤ）が、外部オーディオコンポーネント（例えば、レコーディング用のラップトップコンピュータ）と接続しやすくするための１つ以上の他の外部ＵＳＢポート（例示上の都合により非図示）も備え得る。一実施形態においては、フェーダ１０９が凹型受容部１２５内のＵＳＢポート２０５を介してオーディオコンポーネント１０１と一体化されると、その装置の外観が、図２Ｂに示す装置と同じになる。
【００２０】
一実施形態においては、１つ以上のオーディオ入力１１３、１つ以上の補助ポート１１５、および／または１つ以上のオーディオ出力１１７が、フェーダ１０９とオーディオコンポーネント１０１（例えばレコードプレーヤ）および／または外部オーディオコンポーネント（例えばスマートフォンまたはラップトップコンピュータ）との間でオーディオ信号を伝送しやすくするために、特殊または独自のコネクタまたはケーブルを使用する必要のある独特および／または独自のデザインで構成され、かつ／またはそのデザインを特徴とし得る。一実施形態においては、フェーダ１０９が、オーディオコンポーネント１０１と、さねはぎ、ほぞ継手、またはそれらの組み合わせによって物理的に一体化され、図１Ｃおよび図２Ｂに示すとおり、フェーダ１０９とオーディオコンポーネント１０１との間で（ＬＥＧＯ（登録商標）のような）半永久的な接続を容易にし得ると同時に、オーディオ入力１１３、補助ポート１１５、およびオーディオ入力１１７へのアクセスを提供し得る。
【００２１】
図３Ａ〜図３Ｄ（公理図）は、一実施形態にかかる、オーディオコンポーネント（例えばレコードプレーヤ）の外縁に位置する受容部と、１つ以上のアナログ接続、１つ以上のデジタル接続、またはそれらの組み合わせと、を介してオーディオコンポーネントと一体化された着脱式フェーダコンポーネントを概略的に示す。一実施形態においては、受容部２０１が受容部３０１で置き換えられ、フェーダ１０９をオーディオコンポーネント１０１の外縁上にあるオーディオコンポーネント１０１と一体化できるという点を除き、図３Ａ〜図３Ｄのオーディオコンポーネント１０１が図２Ｂのオーディオコンポーネント１０１と略同じである。一実施形態においては、図３Ａに示すとおり、（例えば銅または金で形成された）１つ以上のプラグ３０３をオーディオ入力１１３、補助ポート１１５、またはそれらの組み合わせに接続することにより、アナログ接続が完了し得る。一実施形態においては、プラグ３０３および２０３が、性能および／または機能面で同一である。一実施形態においては、図３Ｂに示すとおり、オーディオコンポーネント１０１のＵＳＢポート２０５とフェーダ１０９のＵＳＢコネクタ２０７とを接続することによってデジタル接続が完了し得る。一実施形態においては、図２Ｄと同様、オーディオコンポーネント１０１（例えばレコードプレーヤ）がＵＳＢコネクタ２０７を備え、フェーダ１０９は、デジタル接続を可能にするＵＳＢポート３０５を備え得る。
【００２２】
図４Ａ〜図４Ｇ（公理的見解）は、一実施形態にかかるフェーダ１０９の種々の可能な構成を概略的に示す。図４Ａ〜図４Ｄは、フェーダ１０９の種々のアナログ構成を示し、図４Ｅ〜図４Ｇは、フェーダ１０９の種々のアナログおよび／またはデジタル構成を示す。一実施形態においては、フェーダ１０９が、第１のオーディオ信号と第２のオーディオ信号とをミキシングするためのハードウェアコンポーネント、ソフトウェアコンポーネント、またはそれらの組み合わせ（例示上の都合により非図示）を備える。一実施形態においては、このミキシングが、特定の音源（例えばレコードプレーヤ）をフェードインすなわち増幅する目的、またはフェードアウトすなわち漸減させる目的でユーザ（例えばＤＪ）によって使用され得るノブ１２７によって制御される。例えば、ノブ１２７を一方向に動かすことにより、第１の音源（例えばオーディオコンポーネント１０１）をフェードインまたは増幅させながら、第２の音源（例えば外部オーディオコンポーネント）を同時にフェードアウトまたは漸減させ得る。一実施形態において、ノブ１２７は、図４Ａに示すような物理構成、（例えば図４Ｇに示すようなタッチスクリーン４０１に含まれた）仮想構成、またはそれらの組み合わせであり得る。一実施形態において、フェーダ１０９および／またはノブ１２７は、ノブ１２７がフェーダハウジング１１１に対して所在する位置と、第１のオーディオ信号と第２のオーディオ信号との間の関連付けられた音源優先度が互いに対して所在する位置と、をユーザが把握するのを支援する１つ以上の特徴を含む。例えば、一実施形態において、フェーダハウジング１１１は、１つ以上のレベルマーク４０３を備え得る。一例を挙げると、１つ以上のレベルマーク４０３は、（例えば蛍光塗料を用いて）塗装され得るか、発光可能な１つ以上の要素（例えば発光ダイオード（ＬＥＤ））で構成され得るか、またはそれらの組み合わせであり得る。一実施形態においては、ノブ１２７も、１つ以上のマーク４０５（例えば、塗装されたマーク、エッチングされたマーク、またはＬＥＤ）を備え得る。
【００２３】
一実施形態においては、フェーダ１０９のハードウェアコンポーネント、ソフトウェアコンポーネント、またはそれらの組み合わせ（例示上の都合により非図示）により、第１の接続点、第２の接続点、またはそれらの組み合わせをユーザがカスタマイズして、フェーダ１０９とオーディオコンポーネント１０１（例えばレコードプレーヤ）、外部オーディオコンポーネント（例示上の都合により非図示）、またはそれらの組み合わせとの間の接続を容易にすることができ得る。一実施形態においては、オーディオコンポーネント１０１との一体化を容易にするために、１つ以上のオーディオ入力１１３、１つ以上の補助ポート１１５、および／または１つ以上のオーディオ出力１１７の特定箇所が変更され得る。一例を挙げると、図４Ｃにおいては、オーディオ入力１１３、補助ポート１１５、およびオーディオ出力１１７がフェーダ１０９の短辺側（例えば背面）に位置し、図１Ａのオーディオコンポーネント１０１と一体化できるようになっており、図４Ｄにおいては、オーディオ入力１１３、補助ポート１１５、およびオーディオ出力１１７がフェーダ１０９の長辺側（例えば、オーディオコンポーネント１０１の奥行き方向側）に位置し、図２Ｂのオーディオコンポーネント１０１と一体化できるようになっている。一実施形態においては、ハードウェアコンポーネント、ソフトウェアコンポーネント、またはそれらの組み合わせにより、フェーダ１０９の１つ以上の性能特性をユーザがカスタマイズできるようになっている。例えば、一実施形態において、フェーダ１０９は、ユーザ（例えばＤＪ）が、（ａ）オーディオコンポーネント１０１および外部オーディオコンポーネントの両方からの音声を同時に遮断し、（ｂ）フェーダ１０９の片側でオーディオコンポーネント１０１に優先度を割り当て、フェーダ１０９の反対側で外部オーディオコンポーネントに優先度を割り当て、（ｃ）（ｂ）と同じだが、図４Ｅおよび図４Ｂにそれぞれ示すとおり、「ハムスター」を逆転できるボタン４０７または３ポジション型フラットスイッチ４０９を備える。一実施形態においては、ボタン４０７またはフラットスイッチ４０９（すなわち、フェーダ１０９の「モード」）の位置が、１つ以上のマーキング４１１によってフェーダ本体１１１上で明示され得る。加えて、または代替として、一実施形態においては、フェーダ１０９のモードが、（例えば、１つ以上のレベルマーク４０３および／または１つ以上のマーク４０５から発せられる）種々の対応ＬＥＤ色によって明示され得る。一実施形態においては、ハードウェアコンポーネント、ソフトウェアコンポーネント、またはそれらの組み合わせが、ポストプロダクションによってさらにカスタマイズ（例えば、フェーダ１０９のレイテンシを変更）できるように、本明細書に記載されたコンピュータソフトウェアを介してプログラムされ得る。一実施形態において、フェーダ１０９は、オーディオコンポーネント１０１（例えばレコードプレーヤ）と物理的に一体化されているとき、および／またはフェーダ１０９がオーディオコンポーネント１０１から取り外され、かつ／または外部オーディオコンポーネント（例えばラップトップコンピュータ）と接続して使用されているときにプログラムされ得る。一実施形態において、フェーダ１０９は、図４Ｆに示すとおり、１つ以上のデジタル（例えばＵＳＢ）オーディオ入力４１３と、補助ポート４１５と、オーディオ出力４１７と、を備え得る。一実施形態において、フェーダ１０９は、密閉型電池（例えばリチウムイオン電池）（例示上の都合により非図示）の充電を可能にするためのＵＳＢポート４１９もボタン４０７の隣に備え得る。
【００２４】
一実施形態においては、フェーダ１０９と外部オーディオコンポーネント（例示上の都合により非図示）との間のデジタル接続が、短距離無線接続（例えば、Ｂｌｕｅｔｏｏｔｈ（登録商標）、近距離無線通信（ＮＦＣ）等）を介して行われる。一実施形態においては、フェーダ１０９および外部オーディオコンポーネントが短距離無線接続によって接続される場合に、外部オーディオコンポーネントが、レコードプレーヤ、ＤＤＪデバイス、コンパクトディスクプレーヤ、デジタルメディアプレーヤ、スマートフォン、タブレットコンピュータ、ラップトップコンピュータ、ドラムマシン、キーボード、レコーディングソフトウェア、タッチスクリーン、または短距離無線接続を介して１つ以上のオーディオファイルを伝送できる任意のデバイスを備え得る。一実施形態においては、外部オーディオコンポーネントが、ワイヤレススピーカも備え得る。一例を挙げると、ユーザ（例えばＤＪ）が、第１の音源（例えばオーディオコンポーネント１０１）と第２の音源（例えばスマートフォン）との間でフェーダ１０９によって割り当てられた優先度を、Ｂｌｕｅｔｏｏｔｈ（登録商標）接続を介して操作し得る。
【００２５】
図５Ａ〜図５Ｅ（公理図）は、一実施形態にかかる、１つ以上のアナログ接続、１つ以上のデジタル接続、またはそれらの組み合わせと同時に一体化された着脱式フェーダコンポーネントおよび種々の外部オーディオコンポーネントを概略的に示す。一実施形態においては、オーディオコンポーネント１０１（例えばレコードプレーヤ）が、図５Ａ〜図５Ｄにそれぞれ示すとおり、オーディオコンポーネント１０１を、ドラムマシン５０１、キーボード５０３、レコーディングソフトウェア５０５、またはタッチスクリーン５０７などの外部オーディオコンポーネントと一体化するための別個のハードウェアコンポーネント、ソフトウェアコンポーネント、またはそれらの組み合わせ（例示上の都合により非図示）を備える。一実施形態においては、ドラムマシン５０１、キーボード５０３、レコーディングソフトウェア５０５、またはタッチスクリーン５０７が、図５Ｅに示すとおり、受容部２０１を介してオーディオコンポーネント１０１と一体化され得る。一実施形態においては、レコーディングソフトウェア５０５およびタッチスクリーン５０７が、単一の外部オーディオコンポーネント（例示上の都合により非図示）から構成され得る。一実施形態においては、タッチスクリーン５０７が、オーディオコンポーネント１０１の種々の標準的なオーディオコントロールである機能（例えば、ボリューム制御フェーダ１２９、速度選択スイッチまたはトグル１３１、ピッチ制御ノブ１３３、トーンコントロール１３５）も備え、かつ／または有し得る。一実施形態においては、１つ以上の外部オーディオコンポーネントが、オーディオコンポーネント１０１の１つ以上の受容部および／または１つ以上の外部ＵＳＢ接続を介してオーディオコンポーネント１０１（例えば、ドラムマシン５０１およびキーボード５０３）と同時に接続され得る。一実施形態においては、外部オーディオコンポーネント（例えばドラムマシン５０１）がオーディオコンポーネント１０１（例えばレコードプレーヤ）に接続されると、外部オーディオコンポーネントが独立してオーディオコンポーネント１０１と連携しながら、フェーダ１０９が、オーディオコンポーネント１０１および／または外部オーディオコンポーネントからのオーディオ信号を制御する（すなわち、オン／オフスイッチとして機能する）ことができる。一実施形態においては、別個のハードウェアコンポーネント、ソフトウェアコンポーネント、またはそれらの組み合わせにより、ユーザは、１つ以上の外部オーディオコンポーネント（例えばドラムマシン５０１）をオーディオコンポーネント１０１（例えばレコードプレーヤ）に追加したり、１つ以上の外部オーディオコンポーネントから削除したりすることができ、それにより、１つ以上のユーザ要件または設定（例えば、コンサートでの演奏や自宅でのスクラッチング練習）に基づいてオーディオコンポーネント１０１をさらにカスタマイズすることができる。
【００２６】
図６Ａ〜図６Ｃは、一実施形態にかかる、トーンアームヘッドシェルユニットおよび調節可能な重りを概略的に示す。図６Ａは公理図であり、図６Ｂおよび図６Ｃは断面図である。一実施形態においては、オーディオコンポーネント１０１がレコードプレーヤ（例えば、直接駆動またはベルト駆動のターンテーブル）であり、トーンアーム１０５が、針圧調節器６０１と、ピボット部６０３と、アームシャフト６０５と、ヘッドシェル６０７と、針を備えるカートリッジ（共に例示上の都合により非図示）と、も備え得る。一実施形態においては、ヘッドシェル６０７が、図６Ａに示すとおり、スキップ防止を支援するために１つ以上の重り６０９（例えば、重さ２グラムまたは４グラム）をヘッドシェル６０７に装着できるように設計されている。一実施形態においては、１つ以上の重り６０９が、オーディオコンポーネント１０１の受容部（例えば受容部１２１）に収容され得る。一実施形態においては、オーディオコンポーネント１０１（例えばレコードプレーヤ）が携帯型であり、（例えば、着脱式の電源ケーブルを使用して）コンセントに差し込むこと、または標準的な電池または充電池（例えば単一電池）で動作することができる。
【００２７】
一実施形態においては、図６Ｂに示すとおり、１つ以上の重り６０９が、ネジ締めされて結合ユニット６１１を形成した後にヘッドシェル６０７に装着され得る。一実施形態においては、図６Ｃに示すとおり、１つ以上の重り６０９が、磁気結合されて結合ユニット６１３を形成した後にヘッドシェル６０７に装着され得る。
【００２８】
図７は、各種例示的実施形態を具現化する目的で使用できるコンピュータシステムの図である。コンピュータシステム７００は、情報を通信するためのバス７０１または他の通信メカニズムと、バス７０１に連結された、情報を処理するための１つ以上のプロセッサ（そのうちの１つが図示されている）７０３と、を備える。コンピュータシステム７００は、プロセッサ７０３によって実行される情報および命令を記憶するための、バス７０１に連結されたランダムアクセスメモリ（ＲＡＭ）または他の動的なストレージデバイスなど、メインメモリ７０５も備える。メインメモリ７０５は、プロセッサ７０３による命令の実行中に一時変数または他の中間情報を記憶する目的で使用することもできる。コンピュータシステム７００は、プロセッサ７０３のための静的な情報および命令を記憶するための、バス７０１に連結された読み出し専用メモリ（ＲＯＭ）７０７または他の静的なストレージデバイスをさらに備え得る。そして、情報および命令を恒久的に記憶するための磁気ディスクや光ディスクなどのストレージデバイス７０９がバス７０１に連結されている。
【００２９】
コンピュータシステム７００は、陰極線管（ＣＲＴ）、液晶ディスプレイ、アクティブマトリクスディスプレイ、またはプラズマディスプレイなど、情報をコンピュータユーザに表示するためのディスプレイ７１１に、バス７０１を介して連結され得る。そして、プロセッサ７０３に情報およびコマンド群を伝達するための、英数字および他のキーを備えるキーボードなどの入力デバイス７１３がバス７０３に連結されている。別のタイプのユーザ入力デバイスは、マウス、トラックボール、あるいはカーソル方向キーなど、方向情報およびコマンド群をプロセッサ７０３に伝達するため、およびディスプレイ７１１上でのカーソル移動を調節するためのカーソルコントロール７１５である。
【００３０】
本発明の一実施形態によれば、本明細書に記載された処理は、メインメモリ７０５に格納された命令群をプロセッサ７０３が実行したことを受けて、コンピュータシステム７００によって実行される。かかる命令は、ストレージデバイス７０９など別のコンピュータ可読媒体からメインメモリ７０５に読み込むことができる。メインメモリ７０５に格納されている命令群が実行されると、プロセッサ７０３が、本明細書に記載された処理ステップを実行する。メインメモリ７０５に格納された命令を実行するのに、マルチ処理構成内の１つ以上のプロセッサも用いられ得る。代替実施形態においては、本発明の実施形態を具現化するために、有線接続回路が、ソフトウェア命令の代わりに、またはソフトウェア命令と組み合わせて使用され得る。そのため、本発明の実施形態は、ハードウェア回路とソフトウェアの任意の特定の組み合わせに限定されない。
【００３１】
コンピュータシステム７００は、バス７０１に連結された通信インタフェース７１７も備える。通信インタフェース７１７は、ローカルネットワーク７２１に接続されたネットワークリンク７１９に連結して双方向データ通信を提供する。例えば、通信インタフェース７１７は、デジタル加入者線（ＤＳＬ）カードまたはモデム、サービス総合デジタルネットワーク（ＩＳＤＮ）カード、ケーブルモデム、電話モデム、あるいは、対応するタイプの通信回線とのデータ通信接続を提供するためのその他任意の通信インタフェースであり得る。別例として、通信インタフェース７１７は、互換ＬＡＮにデータ通信接続を提供するためのローカルエリアネットワーク（ＬＡＮ）カード（例えば、イーサネット（登録商標）または非同期転送モデル（ＡＴＭ）ネットワーク）であり得る。無線リンクも実装され得る。かかる任意の実装形態においては、通信インタフェース７１７が、各種情報を表すデジタルデータストリームを搬送する電気、電磁、あるいは光信号を送受信する。さらに、通信インタフェース７１７は、ユニバーサルシリアルバス（ＵＳＢ）インタフェース、ＰＣＭＣＩＡ（パーソナルコンピュータメモリカード国際協会）インタフェースなどの周辺インタフェースデバイスを含み得る。単一の通信インタフェース７１７が図７に示されているが、複数の通信インタフェースを用いることもできる。
【００３２】
ネットワークリンク７１９は、１つ以上のネットワークを経由して他のデータデバイスにデータ通信を提供するのが典型的である。例えば、ネットワークリンク７１９は、ローカルネットワーク７２１を経由してホストコンピュータ７２３に接続し得る。ホストコンピュータ７２３は、ネットワーク７２５（例えば、広域ネットワーク（ＷＡＮ）、または現在「インターネット」と広く称されているグローバルパケットデータ通信ネットワーク）、またはサービスプロバイダによって運用されているデータ装置に接続する。ローカルネットワーク７２１およびネットワーク７２５はどちらも、電気信号、電磁信号、または光信号を使用して情報および命令を伝達する。各種ネットワークを経由する信号、そしてネットワークリンク７１９により、通信インタフェース７１７を経由してコンピュータシステム７００との間でデジタルデータを伝達する信号が、情報および命令を運ぶ搬送波の代表的な形態である。
【００３３】
コンピュータシステム７００は、ネットワーク（複数）、ネットワークリンク７１９、および通信インタフェース７１７を通じて、メッセージを送信し、プログラムコードなどのデータを受信することができる。インターネットの例では、サーバ（非図示）が、本発明の実施形態を具現化するためのアプリケーションプログラムに属する要求されたコードを、ネットワーク７２５、ローカルネットワーク７２１、および通信インタフェース７１７を経由して送信し得る。プロセッサ７０３は、送信されたコードを、受信しながら実行し、かつ／またはそのコードを、後で実行するためにストレージデバイス７０９または他の不揮発性ストレージデバイスに記憶し得る。このようにして、コンピュータシステム７００は、搬送波という形態でアプリケーションコードを取得し得る。
【００３４】
本明細書で使用される「コンピュータ可読媒体」という用語は、実行のためにプロセッサ７０３に命令を提供することに関与する任意の媒体を指す。かかる媒体がとり得る形態は数多く、コンピュータ可読媒体（または非一時的媒体、すなわち不揮発性媒体および揮発性媒体）および伝送媒体を含むがそれらに限定されない。不揮発性媒体としては、例えば、ストレージデバイス７０９など、光学または磁気ディスクが挙げられる。揮発性媒体としては、メインメモリ７０５などの動的メモリが挙げられる。伝送媒体としては、バス７０１を構成するワイヤなどの同軸ケーブル、銅線、および光ファイバが挙げられる。伝送媒体は、無線周波数（ＲＦ）および赤外線（ＩＲ）データ通信中に生成される音波、光波、または電磁波などの形態をとることもできる。コンピュータ可読媒体の一般的な形態としては、例えば、フロッピーディスク、フレキシブルディスク、ハードディスク、磁気テープ、その他任意の磁気媒体、ＣＤ−ＲＯＭ、ＣＤＲＷ、ＤＶＤ、その他任意の光学媒体、パンチカード、紙テープ、光学マークシート、穴もしくは他の光学的に認識可能な証印のパターンを有する他の物理媒体、ＲＡＭ、ＰＲＯＭ、およびＥＰＲＯＭ、フラッシュＥＰＲＯＭ、その他任意のメモリチップもしくはカートリッジ、搬送波、またはコンピュータが読み取れるその他任意の媒体が挙げられる。
【００３５】
各種形態のコンピュータ可読媒体が、実行を目的としたプロセッサへの命令提供に関与し得る。例えば、本発明の実施形態の少なくとも一部を実行するための命令は、まずリモートコンピュータの磁気ディスクで搬送され得る。かかる場合においては、リモートコンピュータがこれらの命令をメインメモリにロードし、モデムを使用して電話回線経由で送信する。ローカルコンピュータシステムのモデムが、電話回線でデータを受信し、赤外線送信機を使用してデータを赤外線信号に変換し、赤外線信号をＰＤＡ（携帯情報端末）やラップトップなどの携帯型コンピューティングデバイスに送信する。次に、携帯型コンピュータ装置上の赤外線検出器が、赤外線信号によって伝送された情報および命令を受信し、バス上にデータを配置する。バスはそのデータをメインメモリに搬送し、そこからプロセッサが命令を取得して実行する。メインメモリによって受信された命令は、任意選択的に、プロセッサによる実行の前または後もストレージデバイスに記憶することができる。
【００３６】
図８は、具現化され得る本発明の実施形態がチップセットまたはチップ８００を示す。チップセット８００は、本明細書に記載されるアクティビティステータスに基づいてユーザにメッセージを届けるようにプログラムされており、例えば、図８を参照して説明した、１つ以上の物理パッケージ（例えばチップ）内に組み込まれたプロセッサとメモリコンポーネントとを備える。一例を挙げると、物理パッケージは、物理的強度、サイズの不変、および／または電気的相互作用の制限といった１つ以上の特性を提供するために、構造アセンブリ（例えば基板）上に１つ以上の材料、コンポーネント、および／またはワイヤの配列を備える。特定の実施形態においては、チップセット８００が単一チップで実装され得るものと考えられる。特定の実施形態においては、チップセットまたはチップ８００が、単一の「チップ上のシステム」として実装され得るものとさらに考えられる。さらに、特定の実施形態においては、例えば、別個のＡＳＩＣが使用されることはなく、本明細書に開示されているすべての関連機能が、プロセッサ（単数または複数）によって実行される。チップセットまたはチップ８００、またはその一部は、ファイル転送アプリケーションまたは送信もしくは受信デバイスのスループット能力に関係なくファイルの送信を可能にする１つ以上のステップを実行するための手段を構成する。
【００３７】
一実施形態において、チップセットまたはチップ８００は、バス８０１など、チップセット８００のコンポーネント間で情報を渡すための通信メカニズムを備える。プロセッサ８０３は、例えばメモリ８０５に記憶された命令および処理情報を実行するためにバス８０１に接続する。プロセッサ８０３は、各コアが独立して実行されるように構成された１つ以上の処理コアを備え得る。マルチコアプロセッサは、単一の物理パッケージ内でのマルチ処理を可能にする。マルチコアプロセッサの例としては、２、４、８、またはそれ以上の数の処理コアが挙げられる。代替として、または加えて、プロセッサ８０３は、独立した命令実行、パイプライン化、およびマルチスレッド化を実行できるようにバス８０１を介して縦列的に構成された１つ以上のマイクロプロセッサを備える。プロセッサ８０３は、１つ以上のデジタル信号プロセッサ（ＤＳＰ）８０７または１つ以上の特定用途向け集積回路（ＡＳＩＣ）８０９など、特定の処理機能およびタスクを実行するための１つ以上の特殊コンポーネントも伴い得る。ＤＳＰ  ８０７は、プロセッサ８０３とは無関係に実世界の信号（例えば音）をリアルタイムで処理するように構成されるのが典型的である。同様に、ＡＳＩＣ  ８０９は、汎用性の高いプロセッサによって容易に実行されない特殊な機能を実行するように構成することができる。本明細書に記載された新規性を有する機能の実行を支援する他の特殊なコンポーネントとしては、１つ以上のフィールドプログラマブルゲートアレイ（ＦＰＧＡ）（非図示）、１つ以上のコントローラ（非図示）、または１つ以上の他の特殊用途コンピュータチップが挙げられ得る。
【００３８】
一実施形態においては、チップセットまたはチップ８００が、１つ以上のプロセッサと、その１つ以上のプロセッサをサポートし、かつ／またはその１つ以上のプロセッサと関連する何らかのソフトウェアおよび／またはファームウェアと、を備えるに過ぎない。
【００３９】
プロセッサ８０３および付随するコンポーネントは、バス８０１を介してメモリ８０５に接続する。メモリ８０５は、実行可能命令であって、実行されると、本明細書に記載された新規性を有するステップを実行して、それらの命令のアクティビティステータスに基づいたユーザにメッセージを届ける実行可能命令を格納するための動的メモリ（例えば、ＲＡＭ、磁気ディスク、書き込み可能な光ディスク等）と静的メモリ（例えば、ＲＯＭ、ＣＤ−ＲＯＭ等）とを含む。メモリ８０５は、新規性を有するステップの実行と関連付けられたデータ、またはそのステップの実行によって生成されたデータも記憶する。
【００４０】
本明細書には、特定の例示的実施形態および実装形態が記載されているが、この記載内容から、他の実施形態および変形例が明らかであろう。そのため、本発明は、かかる実施形態に限定されるものではなく、提示された請求項が有する広い範囲および種々の明白な変形例ならびに均等構成に限定される。
【図１Ａ】
2018530286.tif 000003
【図１Ｂ】
2018530286.tif 000004
【図１Ｃ】
2018530286.tif 000005
【図２Ａ】
2018530286.tif 000006
【図２Ｂ】
2018530286.tif 000007
【図２Ｃ】
2018530286.tif 000008
【図２Ｄ】
2018530286.tif 000009
【図３Ａ】
2018530286.tif 000010
【図３Ｂ】
2018530286.tif 000011
【図３Ｃ】
2018530286.tif 000012
【図３Ｄ】
2018530286.tif 000013
【図４Ａ】
2018530286.tif 000014
【図４Ｂ】
2018530286.tif 000015
【図４Ｃ】
2018530286.tif 000016
【図４Ｄ】
2018530286.tif 000017
【図４Ｅ】
2018530286.tif 000018
【図４Ｆ】
2018530286.tif 000019
【図４Ｇ】
2018530286.tif 000020
【図５Ａ】
2018530286.tif 000021
【図５Ｂ】
2018530286.tif 000022
【図５Ｃ】
2018530286.tif 000023
【図５Ｄ】
2018530286.tif 000024
【図５Ｅ】
2018530286.tif 000025
【図６Ａ】
2018530286.tif 000026
【図６Ｂ】
2018530286.tif 000027
【図６Ｃ】
2018530286.tif 000028
【図７】
2018530286.tif 000029
【図８】
2018530286.tif 000030
【国際調査報告】
2018530286.tif 000031
2018530286.tif 000032